(57)【要約】【課題】金属からなる円筒部より突出した金属からなる円柱形状のノック体をノック操作した際に、ノック体の表面に傷が生じず、接触音を防ぐことができるノック式筆記具を提供する。【解決手段】ノック体６が、軸筒２の円筒部５に遊びを持たせて挿通させた前方遊嵌部６ａと、前方遊嵌部６ａより大径で且つ円筒部５内で円筒部５の内面との間に微小な隙間を形成する後方押圧部６ｂとを有し、前方遊嵌部６ａと後方押圧部６ｂとの間に溝部６ｃを形成し、溝部６ｃの前方に前方遊嵌部６ａに隣接する前方段部６ｄを形成し、溝部６ｃの後方に後方押圧部６ｂに隣接する後方段部６ｅを形成し、前方段部６ｄと後方段部６ｅとの間に弾性を有するＯリング８を装着してＯリング８の外縁をノック体６の後方押圧部６ｂの外側面より突出させる。【選択図】図２
2011235490.tif 000002
【特許請求の範囲】
【請求項１】
金属からなる円筒部の後端から突出させた金属からなる円柱形状のノック体をノック操作することにより、前記円筒部を後方に有する軸筒の先端から筆記体または筆記芯を繰り出す構造のノック式筆記具であって、前記ノック体が、前記軸筒の円筒部に遊びを持たせて挿通させた前方遊嵌部と、該前方遊嵌部より大径で且つ前記円筒部内で当該円筒部の内面との間に微小な隙間を形成する後方押圧部とを有し、前記前方遊嵌部と前記後方押圧部との間に溝部を形成し、前記溝部の前方に前記前方遊嵌部に隣接する前方段部を形成し、前記溝部の後方に前記後方押圧部に隣接する後方段部を形成し、前記前方段部と前記後方段部との間に弾性を有するＯリングを装着して当該Ｏリングの外縁を前記ノック体の後方押圧部の外側面より突出させ、前記Ｏリングの外縁と前記円筒部の内面との間に隙間を形成し、前記ノック体をノック操作した際に前記円筒部の内面に前記Ｏリングを接触させることで、前記円筒部の内面とノック体の後方押圧部との接触を防止する構造を特徴としたノック式筆記具。
【発明の詳細な説明】
【技術分野】
【０００１】
本発明は、軸筒の後方に有した金属からなる円筒部の後端より突出した金属からなる円柱形状のノック体をノック操作することにより、軸筒の先端から筆記体または筆記芯を繰り出す構造のノック式筆記具に関する。
【背景技術】
【０００２】
従来、ノック式ボールペンやノック式シャープペンシルなどノック体をノック操作して使用する筆記具は一般的であるが、ノック式筆記具の中でも、特開２００３−６３１９２号公報に記載されているように、ノック体形状が全長に渡り略同径の円柱形状であり軸筒の内面との隙間が小さいものでは、ノック体をノック操作した際に、ノック体が軸筒の内部で振れることによって、軸筒の内面にノック体が接して音がしたりノック体の表面にすり傷がつくといった問題が生じやすく、特に高価格の筆記具では金属で成形した部材を使用する場合が多いことから、軸筒とノック体とが擦れた時の金属音が不快であったり、軸筒の内面にノック体が接することでノック体の外表面に傷がつくといった問題が生じることが間々あった。尚、軸筒の内面とノック体とを接しにくくするためにノック体と軸筒との隙間を大きくした場合には、外観上で隙間が目立つので、好ましくは隙間を微小にすることが求められている。
【先行技術文献】
【特許文献】
【０００３】
【特許文献１】特開２００３−６３１９２号公報
【発明の概要】
【発明が解決しようとする課題】
【０００４】
本発明は、金属からなる円筒部より突出した金属からなる円柱形状のノック体をノック操作した際に、ノック体の表面に傷が生じず、接触音を防ぐことができるノック式筆記具を提供することを目的とする。
【課題を解決するための手段】
【０００５】
本発明は、
「金属からなる円筒部の後端から突出させた金属からなる円柱形状のノック体をノック操作することにより、前記円筒部を後方に有する軸筒の先端から筆記体または筆記芯を繰り出す構造のノック式筆記具であって、前記ノック体が、前記軸筒の円筒部に遊びを持たせて挿通させた前方遊嵌部と、該前方遊嵌部より大径で且つ前記円筒部内で当該円筒部の内面との間に微小な隙間を形成する後方押圧部とを有し、前記前方遊嵌部と前記後方押圧部との間に溝部を形成し、前記溝部の前方に前記前方遊嵌部に隣接する前方段部を形成し、前記溝部の後方に前記後方押圧部に隣接する後方段部を形成し、前記前方段部と前記後方段部との間に弾性を有するＯリングを装着して当該Ｏリングの外縁を前記ノック体の後方押圧部の外側面より突出させ、前記Ｏリングの外縁と前記円筒部の内面との間に隙間を形成し、前記ノック体をノック操作した際に前記円筒部の内面に前記Ｏリングを接触させることで、前記円筒部の内面とノック体の後方押圧部との接触を防止する構造を特徴としたノック式筆記具。」である。
【０００６】
本発明におけるＯリングは、ニトリルゴムやシリコンゴムあるいは天然ゴムなど弾性を有したものの使用により、円筒部の内面との接触において振動を吸収し、耳障りな接触音、特に高域音の発生を抑制することが肝要である。
【発明の効果】
【０００７】
本発明のノック式筆記具は前述したような構造なので、
ノック操作時にノック体が振れた場合には、ノック体に装着したＯリングが円筒部の内面に接触することになるので、ノック体の表面の傷つきと金属同士の接触音の発生を防止することができる。尚、ノック体が振れない状態においては、ノック体の側面に装着したＯリングが円筒部の内面に接触しないことからノック操作の妨げにはならない。また溝部にＯリングを装着する際には、Ｏリングを外径の小さな前方遊嵌部側から装着できるので組立しやすいものとなり、ノック操作時にＯリングが円筒部の内面に接触した際には、前方遊嵌部より大径な後方押圧部がＯリングの抜け落ちを防止できるものとなった。
【図面の簡単な説明】
【０００８】
【図１】図１はノック操作を行っていない状態における要部断面図である。
【図２】図２はノック操作を行っている状態における要部断面図である。
【発明を実施するための形態】
【０００９】
軸筒の後方に有した金属からなる円筒部より突出した金属からなる円柱形状のノック体をノック操作した際に、ノック体の表面に傷が生じず、接触音の発生を防止することができるノック式筆記具を実現した。
【実施例】
【００１０】
次に図面を参照しながら本実施例の説明を行う。図中の同じ部材、同じ部品については、同じ符号としてある。本実施例ではノック式ボールペンを例にあげて述べるが、本発明は以下の実施例に限定されるものではない。
【００１１】
図１に示すようにノック式ボールペン１は、軸筒２の内部にコイルスプリング３で後方へ弾発したボールペンレフィル４を配し、軸筒２の後方に螺合した金属からなる円筒部材５の開口部５ａから突出させた円柱形状のノック体６をノック操作することにより、
軸筒２の内部に配設した前記ボールペンレフィル４の筆記先端部４ａを、軸筒２の前方に螺合した口金７の開口部７ａから突出した状態と没入した状態とで維持できるノック式ボールペン構造である。
【００１２】
本実施例のノック体６は前述したように円柱形状であると共に、円筒部材５の開口部５ａの内面５ｂとの間に１．８ｍｍの隙間を持たせて挿通した前方遊嵌部６ａと、前方遊嵌部６ａより大径で円筒部材５の内面５ｂとの間に０．５ｍｍの微小な隙間を形成する後方押圧部６ｂとを有し、前方遊嵌部６ａと後方押圧部６ｂとの間に溝部６ｃを形成し、溝部６ｃの前方に前方遊嵌部６ａに隣接する前方段部６ｄを形成し、溝部６ｃの後方に後方押圧部６ａに隣接する後方段部６ｅを形成し、前方段部６ｄと後方段部６ｅとの間にニトリルゴムからなるＯリング８を装着し、装着した状態でＯリング８の外縁がノック体６の後方押圧部６ｂの外側面より突出するようにしてある。
【００１３】
次にノック式ボールペン１のノック操作について説明を行う。図２に示すようにノック体６を押圧することで、ボールペンレフィル４の筆記先端部４ａを口金７の開口部７ａから突出させることができるが、この際に、ノック体５が円筒部材６の内部で振れても、円筒部材５の内面５ｂに対してＯリング８が接触することで、金属からなるノック体６の後方押圧部６ｂが金属からなる円筒部材５の内面５ｂに接触することなくノック操作を行うことができた。
【産業上の利用可能性】
【００１４】
本発明のノック式筆記具は、インキやペン先の種類、出没機構に限定されるものではないので、ノック式シャープペンシルやノック式マーカーペンあるいはノック式万年筆などノック式筆記具として広く利用可能である。
【符号の説明】
【００１５】
１…ノック式ボールペン、２…軸筒、３…コイルスプリング、
４…ボールペンレフィル、４ａ…筆記先端部、
５…円筒部材、５ａ…開口部、５ｂ…内面、
６…ノック体、６ａ…前方遊嵌部、６ｂ…後方押圧部、
６ｃ…溝部、６ｄ…前方段部、６ｅ…後方段部、
７…口金、７ａ…開口部、
８…Ｏリング。
【図１】
2011235490.tif 000003
【図２】
2011235490.tif 000004